(57)【特許請求の範囲】
【請求項１】
四角形状の底面部、及び、該底面部の各側縁部から上方に延設された側壁部を備えた受け皿であって、
対向する第１の側壁部及び第２の側壁部は、前記第１の側壁部の高さが前記第２の側壁部の高さよりも高くなっており、
前記第１の側壁部及び前記第２の側壁部を接続する両側壁部は、前記第１の側壁部側の高さが前記第２の側壁部側の高さよりも高くなっており、
前記第１の側壁部及び前記第２の側壁部を接続する両側壁部に、手掛け部が設けられ、
当該受け皿の重心は、前記第１の側壁部から前記第２の側壁部へ向かう方向において前記第１の側壁部寄りとなっており、
前記第１の側壁部及び前記第２の側壁部を接続する両側壁部には、前記重心よりも前記第２の側壁部寄りの位置に目印が設けられていることを特徴とする受け皿。
【請求項２】
四角形状の底面部、及び、該底面部の各側縁部から上方に延設された側壁部を備えた受け皿であって、
対向する第１の側壁部及び第２の側壁部は、前記第１の側壁部の高さが前記第２の側壁部の高さよりも高くなっており、
前記第１の側壁部及び前記第２の側壁部を接続する両側壁部は、前記第１の側壁部側の高さが前記第２の側壁部側の高さよりも高くなっており、
前記第１の側壁部及び前記第２の側壁部を接続する両側壁部に、手掛け部が設けられ、
当該受け皿の重心は、前記第１の側壁部から前記第２の側壁部へ向かう方向において前記第１の側壁部寄りとなっており、
前記第１の側壁部及び前記第２の側壁部を接続する両側壁部には、一定の範囲にわたって目印が設けられており、
前記第１の側壁部から前記第２の側壁部へ向かう方向のこれら目印の中心位置は、前記重心よりも前記第２の側壁部寄りの位置となっていることを特徴とする受け皿。
【請求項３】
前記底面部に、前記第１の側壁部から前記第２の側壁部へ向かう方向に延びる凹凸部が形成されていることを特徴とする請求項１又は請求項２に記載の受け皿。
【請求項４】
前面側に開口部を有する調理庫と、
請求項１〜請求項３のいずれか一項に記載の受け皿と、
を備え、
前記受け皿が、前記第１の側壁部が手前側となるように配置されることを特徴とする加熱調理器。
【請求項５】
前記調理庫に形成された吸込口及び吹出口と、
前記調理庫とは別に区画形成され、前記吸込口及び前記吹出口を介して前記調理庫と連通する加熱室と、
前記調理庫の空気を前記吸込口から吸引して前記加熱室に導き、前記加熱室の空気を前記吹出口から前記調理庫へ吹き出す通風手段と、
前記加熱室の空気を加熱するコンベクションヒータと、
を備え、
前記吹出口は前記調理庫の背面部に形成され、
前記コンベクションヒータで加熱された空気が前記受け皿の前記底面部に向かって吹き出されることを特徴とする請求項４に記載の加熱調理器。
【発明の詳細な説明】
【技術分野】
【０００１】
本発明は、受け皿及びこの受け皿を備えた加熱調理器に関するものである。
【背景技術】
【０００２】
従来より、庫内において被加熱物を加熱する調理庫（グリル等）を備えた加熱調理器が知られている。このような加熱調理器の調理庫内には、一般的に、被加熱物が例えば焼き網を介して載置される受け皿が設けられている（例えば、特許文献１参照）。そして、被加熱物から落ちる油は、受け皿に溜まる構成となっている。また、受け皿に落下した油が発火することを防止するため、受け皿に水を張って被加熱物を加熱する場合もある。
【先行技術文献】
【特許文献】
【０００３】
【特許文献１】特開２０１３−１９５９４号公報（図２）
【発明の概要】
【発明が解決しようとする課題】
【０００４】
例えば特許文献１に示されているように、従来の受け皿は、四角形状の底面部及び該底面部の各側縁部から上方に延設された側壁部を備え、各側壁部の高さが同じになっている。また、従来の受け皿は、その重心位置が前後方向において当該受け皿の中心部付近となっている。このため、従来の受け皿においては、清掃等のために受け皿を調理庫内から取り出して運ぶ際、受け皿に溜まった油等が前後方向に揺れ動き、その結果、油等が溜まった状態の受け皿の重心が前後に移動する。このため、受け皿に溜まった油等は、前側側壁部側に溜まる状態になったり、後側側壁部側に溜まる状態になったりして、受け皿内を前後方向に大きく揺れ動いてしまう。したがって、従来の受け皿は、油等が溜まった状態で該受け皿を持ち運ぶ際、受け皿に溜まった油等がこぼれやすいという課題があった。
【０００５】
本発明は、上述のような課題を解決するためになされたものであり、受け皿を持ち運ぶ際、受け皿に溜まった油等がこぼれることを従来よりも防止できる受け皿、及び該受け皿を備えた加熱調理器を得ることを目的とする。
【課題を解決するための手段】
【０００６】
本発明に係る受け皿は、四角形状の底面部、及び、該底面部の各側縁部から上方に延設された側壁部を備えた受け皿であって、対向する第１の側壁部及び第２の側壁部は、前記第１の側壁部の高さが前記第２の側壁部の高さよりも高くなっており、前記第１の側壁部及び前記第２の側壁部を接続する両側壁部は、前記第１の側壁部側の高さが前記第２の側壁部側の高さよりも高くなっており、前記第１の側壁部及び前記第２の側壁部を接続する両側壁部に、手掛け部が設けられ、当該受け皿の重心は、前記第１の側壁部から前記第２の側壁部へ向かう方向において前記第１の側壁部寄りとなっており、前記第１の側壁部及び前記第２の側壁部を接続する両側壁部には、前記重心よりも前記第２の側壁部寄りの位置に目印が設けられているものである。
また、本発明に係る受け皿は、四角形状の底面部、及び、該底面部の各側縁部から上方に延設された側壁部を備えた受け皿であって、対向する第１の側壁部及び第２の側壁部は、前記第１の側壁部の高さが前記第２の側壁部の高さよりも高くなっており、前記第１の側壁部及び前記第２の側壁部を接続する両側壁部は、前記第１の側壁部側の高さが前記第２の側壁部側の高さよりも高くなっており、前記第１の側壁部及び前記第２の側壁部を接続する両側壁部に、手掛け部が設けられ、当該受け皿の重心は、前記第１の側壁部から前記第２の側壁部へ向かう方向において前記第１の側壁部寄りとなっており、前記第１の側壁部及び前記第２の側壁部を接続する両側壁部には、一定の範囲にわたって目印が設けられており、前記第１の側壁部から前記第２の側壁部へ向かう方向のこれら目印の中心位置は、前記重心よりも前記第２の側壁部寄りの位置となっているものである。
【０００７】
また、本発明に係る加熱調理器は、前面側に開口部を有する調理庫と、本発明に係る受け皿と、を備え、前記受け皿が、前記第１の側壁部が手前側となるように配置されるものである。
【発明の効果】
【０００８】
本発明においては、受け皿の重心が、第１の側壁部から第２の側壁部へ向かう方向において第１の側壁部寄りとなっている。このため、手掛け部を持って本発明に係る受け皿を持ち運ぶ際、第１の側壁部側が下側となるように受け皿が傾くため、受け皿に溜まった油等は、第１の側壁部側に寄って溜まることとなる。例えば、第１の側壁部が手前側となるように本発明に係る受け皿を持ち運ぶ際、受け皿に溜まった油等は、手前側に寄って溜まることとなる。つまり、本発明においては、手掛け部を持って本発明に係る受け皿を持ち運ぶ際、油等が溜まった状態の受け皿の重心を第１の側壁部側に維持できるため、受け皿に溜まった油等が大きく揺れ動くことを防止できる。また、本発明に係る受け皿は、第１の側壁部の高さが第２の側壁部の高さよりも高くなっており、かつ、第１の側壁部及び第２の側壁部を接続する両側壁部も第１の側壁部側の高さが第２の側壁部側の高さよりも高くなっている。このため、本発明に係る受け皿は、受け皿に溜まった油等が受け皿からこぼれ落ちることを従来よりも防止できる。
したがって、本発明は、受け皿を持ち運ぶ際、受け皿に溜まった油等がこぼれることを従来よりも防止できる受け皿、及び該受け皿を備えた加熱調理器を提供することができる。
【図面の簡単な説明】
【０００９】
【図１】本発明の実施の形態１に係る加熱調理器を示す斜視図である。
【図２】本発明の実施の形態１に係る加熱調理器を示す分解斜視図である。
【図３】図１のＺ−Ｚ断面図である。
【図４】本発明の実施の形態１に係る加熱調理器の水受け部を示す斜視図である。
【図５】本発明の実施の形態１に係る加熱調理器の水受け部を示す正面図である。
【図６】本発明の実施の形態１に係る加熱調理器の水受け部を示す側面図である。
【図７】本発明の実施の形態１に係る加熱調理器の水受け部の把持状態を示す側面図である。
【図８】本発明の実施の形態１に係る加熱調理器の水受け部の把持状態を示す平面図である。
【図９】本発明の実施の形態１に係る加熱調理器の別の一例を示す分解斜視図である。
【図１０】本発明の実施の形態２に係る水受け部の一例を示す斜視図である。
【図１１】本発明の実施の形態２に係る水受け部の別の一例を示す斜視図である。
【図１２】本発明の実施の形態３に係る加熱調理器を示す断面図である。
【発明を実施するための形態】
【００１０】
実施の形態１．
図１は、本発明の実施の形態１に係る加熱調理器を示す斜視図である。図２は、本発明の実施の形態１に係る加熱調理器を示す分解斜視図である。また、図３は、図１のＺ−Ｚ断面図である。まず、これら図１〜図３を用いて、本実施の形態１に係る加熱調理器１００の全体構成について説明する。
【００１１】
加熱調理器１００は、略直方体形状の本体１を備えている。この本体１は、本体１の底面部、前面部、側面部及び背面部を構成する筐体２と、本体１の上面部を構成するトッププレート３とを備えている。トッププレート３は、例えば耐熱ガラスのような非磁性材である。このトッププレート３の下面側、つまり本体１の内部には、被加熱物を加熱する加熱コイル１０が例えば複数設けられている。加熱コイル１０は、略密着して渦巻状に巻かれた抵抗コイルや、誘導加熱コイル等である。また、トッププレート３上面には、加熱部を表示する略円形のサークルライン６が加熱コイル１０の位置に対応して印刷されており、鍋やフライパン等の調理器（換言すると、被加熱物）を正確に加熱コイル１０の上方に載置できるようになっている。
【００１２】
トッププレート３には、加熱コイル１０の加熱量等を操作する複数の操作ボタンを備えた操作表示部７が設けられている。この操作表示部７は、加熱コイル１０に対応して設けられている。また、筐体２内には制御基板が設けられており、操作表示部７の操作ボタンを介して制御基板に操作信号を入力する。制御基板は、操作表示部７から入力された操作信号にしたがって、加熱コイル１０の加熱／停止等の出力制御を行う。この加熱出力の状況は、操作表示部７の間に設けられた表示部８によって表示される。また、筐体２の前方には、前面操作部９が設けられている。この前面操作部９は、操作表示部７と同様に、加熱コイル１０の加熱量等を操作できるようになっている。
【００１３】
また、トッププレート３には、後部右側に本体吸気口４が設けられており、後部左側に本体排気口５が設けられている。すなわち、筐体２内に配置された図示せぬ冷却ファンが駆動すると、本体吸気口４から本体１内に吸引された空気は、冷却風として加熱コイル１０等を冷却した後、本体排気口５から排出される構成となっている。また、本体排気口５は、後述する調理庫２０内で発生した煙も排出する構成となっている。
なお、本体吸気口４は、トッププレート３（本体１の上面部）以外の場所に設けられていてもよい。トッププレート３上に吹きこぼれた煮汁等の液体、調理の際に生じる水蒸気及び油煙等が本体吸気口４から吸気される気流によって本体１内部に流入することを防止でき、本体１内部の制御基板等が損傷してしまうことを防止できる。
【００１４】
図１〜図３に示すように、筐体２の下部左側には、前面側に開口部を有する調理庫２０が設けられている。そして、この開口部には、当該開口部を開閉自在に閉塞する扉２１が設けられている。本実施の形態１においては、調理庫２０にレール２２を設け、該レール２２に扉２１を取り付けて、扉２１を前後方向に移動自在に構成している。また、調理庫２０の庫内上方には、ヒータ等の加熱源２３が設けられている。また、扉２１は、左右のレール２２の前側を連結するレール前側連結部材２５に取り付けられている。そのレール前側連結部材２５と、左右のレール２２の後側を連結するレール後側連結部材２６には、着脱自在に受け皿３０が取り付けられている。この受け皿３０は、前側側壁部３２が手前側となるように（扉２１と対向するように）設けられる。また、受け皿３０内には、被加熱物を載置する焼き網２４が着脱可能に設けられている。
【００１５】
続いて、本実施の形態１に係る受け皿３０の詳細構成について説明する。
【００１６】
図４は、本発明の実施の形態１に係る加熱調理器の水受け部を示す斜視図である。図５は、この水受け部を示す正面図である。図６は、この水受け部を示す側面図である。
受け皿３０は、略四角形状の底面部３１、及び、該底面部３１の各側縁部から上方に延設された側壁部（前側側壁部３２、後側側壁部３３、右側側壁部３４及び左側側壁部３５）を備えている。また、前側側壁部３２には、受け皿３０が着脱自在に取り付けられた状態から位置がずれないようにするため、レール前側連結部材２５に係止される係止部３２ａが設けられている。
【００１７】
より詳細に説明すると、対向する前側側壁部３２及び後側側壁部３３は、前側側壁部３２の高さＡが後側側壁部３３の高さＢよりも高くなっている。そして、前側側壁部３２と後側側壁部３３とを接続する右側側壁部３４及び左側側壁部３５は、前側側壁部３２側の高さが後側側壁部３３の高さよりも高くなっている。また、右側側壁部３４及び左側側壁部３５には、これら側壁部の上端部から外側に延設され、先端部がカール加工された手掛け部３４ａ，３５ａが設けられている。さらに、受け皿３０の重心３６は、前後方向（前側側壁部３２から後側側壁部３３へ向かう方向）において受け皿中心３７よりも前側側壁部３２寄りとなっている。
ここで、前側側壁部３２が本発明の第１の側壁部に相当し、後側側壁部３３が本発明の第２の側壁部に相当する。また、本実施の形態１に係る受け皿３０においては、前側側壁部３２及び後側側壁部３３においても、これら側壁部の上端部から外側に延設された延設部が形成されている。本実施の形態１では、これら延設部も前側側壁部３２及び後側側壁部３３として扱うものとする。
【００１８】
なお、本実施の形態１では、右側側壁部３４及び左側側壁部３５は、後側側壁部３３側端部から前側側壁部３２側端部にかけて、徐々にその高さが高くなっている。しかしながら、右側側壁部３４及び左側側壁部３５の形状はこの形状に限定されるものではない。例えば、右側側壁部３４及び左側側壁部３５は、後側側壁部３３側端部と前側側壁部３２側端部との間の途中部から、その高さが高くなり始めてもよい。また例えば、右側側壁部３４及び左側側壁部３５は、後側側壁部３３側端部と前側側壁部３２側端部との間の途中部で後側側壁部３３側端部と同じ高さとなってもよい。また例えば、右側側壁部３４及び左側側壁部３５は、斜めにその高さが高くなっていく必要はなく、例えば階段状にその高さが高くなっていても勿論よい。
【００１９】
さらに、本実施の形態１では、受け皿３０の底面部３１に、前後方向（前側側壁部３２から後側側壁部３３へ向かう方向）に延びる凹凸部３８が形成されている。このため、本実施の形態１に係る受け皿３０は、該受け皿３０に被加熱物を直接載置して、該被加熱物を調理庫２０内で加熱（調理）することもできる。被加熱物から出る油が凹凸部３８の凹部部分に溜まり、被加熱物の油ぎれが良くなるからである。
なお、凹凸部３８の後方に形成された凸部３９は、焼き網２４が係止されるものである。
【００２０】
このように構成された加熱調理器１００の調理庫２０内において、受け皿３０に直接又は焼き網２４を介して被加熱物を載置し、該被加熱物を加熱すると、被加熱物から出た油が受け皿３０に落下して貯留される。そして、被加熱物を加熱後、例えば清掃等のために受け皿３０を調理庫２０内から取り出して運ぶ際、受け皿３０に溜まった油は以下のような挙動となる。なお、受け皿３０に落下した油が発火することを防止するため、受け皿３０に水を張って被加熱物を加熱する場合もある。受け皿３０に張った水の挙動も、以下に説明する油と同様の挙動となる。
【００２１】
図７は、本発明の実施の形態１に係る加熱調理器の水受け部の把持状態を示す側面図である。また、図８は、この水受け部の把持状態を示す平面図である。なお、図７に示すハッチング部分は、受け皿３０に溜まった油等を示している。また、図８に示す矢印は、受け皿３０の底面部３１上を流れる油等の流れ方向を示している。
受け皿３０を運ぶ際、使用者は、受け皿３０の右側側壁部３４及び左側側壁部３５に設けられた手掛け部３４ａ，３５ａを把持することとなる。このとき、受け皿３０の重心３６が前後方向において前側側壁部３２寄りとなっているため、受け皿３０は、図７に示すように、前側側壁部３２側が下側となるように傾く。このため、受け皿３０に溜まった油等は、前側側壁部３２側に寄って溜まることとなる。つまり、本実施の形態１に係る受け皿３０は、手掛け部３４ａ，３５ａを持って持ち運ぶ際、油等が溜まった状態の受け皿３０の重心を前側側壁部３２側に維持できるため、受け皿３０に溜まった油等が大きく揺れ動くことを防止できる。また、受け皿３０は、前側側壁部３２の高さＡが後側側壁部３３の高さＢよりも高くなっており、かつ、右側側壁部３４及び左側側壁部３５も前側側壁部３２側の高さが後側側壁部３３側の高さよりも高くなっている。このため、本実施の形態１に係る受け皿３０は、受け皿３０に溜まった油等が受け皿３０からこぼれ落ちることを従来よりも防止できる。
したがって、加熱調理器１００の利便性が従来よりも向上する。
【００２２】
ここで、本実施の形態１に係る受け皿３０は、底面部３１に凹凸部３８が形成されている。しかしながら、凹凸部３８の延設方向が前後方向（前側側壁部３２から後側側壁部３３へ向かう方向）となっているため、図８に示すように、凹凸部３８が油等の移動を阻害することはない。したがって、凹凸部３８を受け皿３０に形成した場合においても、上記のように、受け皿３０に溜まった油等が受け皿３０からこぼれ落ちることを従来よりも防止でき、加熱調理器１００の利便性を従来よりも向上させることができる。
【００２３】
なお、本実施の形態１では、扉２１をレール２２に取り付ける構成としたが、扉２１の取り付け構成はこの構成に限定されるわけではない。例えば図９に示すように、レール２２を設けず、扉２１が受け皿３０の前側側壁部３２側に位置するように、両者を取り付けてもよい。この場合でも、扉２１及び受け皿３０の重心は、上記と同様に、前側側壁部３２寄りとなる。このため、扉２１の取り付け構成を図９のようにしても、上記と同様の効果を得ることができる。
【００２４】
実施の形態２．
実施の形態１で示した受け皿３０を持ち運ぶ際、前側側壁部３２側が下側となるように受け皿３０が傾くためには、重心３６よりも後側側壁部３３寄りとなる位置の手掛け部３４ａ，３５ａ部分を把持することが好ましい。このため、使用者が重心３６よりも後側側壁部３３寄りとなる位置の手掛け部３４ａ，３５ａ部分を確実に把持できるよう、受け皿３０を以下のように構成してもよい。なお、本実施の形態２で記載されていない構成は実施の形態１と同様とし、実施の形態１と同様の構成には実施の形態１と同じ符号を付すこととする。
【００２５】
図１０は、本発明の実施の形態２に係る水受け部の一例を示す斜視図である。
図１０に示す受け皿３０は、右側側壁部３４及び左側側壁部３５（より詳しくは、手掛け部３４ａ，３５ａ）に、ドット状の目印４０ａが設けられている。これらの目印４０ａは、重心３６よりも後側側壁部３３寄りの位置に配置されている。
【００２６】
このように受け皿３０を構成することにより、使用者は、目印４０ａを把持することで、重心３６よりも後側側壁部３３寄りとなる位置を確実に把持することができる。このため、このように受け皿３０を構成することにより、受け皿３０に溜まった油等が受け皿３０からこぼれ落ちることを抑制できる効果を、より確実に得ることができる。
【００２７】
図１１は、本発明の実施の形態２に係る水受け部の別の一例を示す斜視図である。
図１１に示す受け皿３０は、右側側壁部３４及び左側側壁部３５（より詳しくは、手掛け部３４ａ，３５ａ）に、一定の範囲にわたって目印４０ｂが設けられている。これらの目印４０ｂは、前後方向（前側側壁部３２から後側側壁部３３へ向かう方向）の中心位置が、重心３６よりも後側側壁部３３寄りの位置となっている。より詳しくは、これらの目印４０ｂは、前側の端部が重心３６と略同位置になっており、重心３６から後方に向かって設けられている。
【００２８】
このように受け皿３０を構成することによっても、使用者は、目印４０ｂを把持することで、重心３６よりも後側側壁部３３寄りとなる位置を確実に把持することができる。このため、このように受け皿３０を構成することにより、受け皿３０に溜まった油等が受け皿３０からこぼれ落ちることを抑制できる効果を、より確実に得ることができる。
また、一定の範囲にわたって目印４０ｂを設けることにより、使用者は、把持する位置を調整しやすくなり、受け皿３０の傾き具合を調整できるという効果を得ることもできる。
【００２９】
実施の形態３．
近年、調理庫にコンベクションユニットを設け、調理庫内に加熱された空気を対流させることにより、被加熱物を加熱する加熱調理器も提案されている。このようなコンベクションユニットを備えた加熱調理器に、上記の実施の形態で示した受け皿３０を用いることにより、上記の効果に加えて下記のような効果を得ることもできる。なお、本実施の形態３で記載されていない構成は上記の実施の形態で示した構成のいずれかと同様とし、上記の実施の形態で示した構成と同様の構成には同じ符号を付すこととする。
【００３０】
図１２は、本発明の実施の形態３に係る加熱調理器を示す断面図である。この図１２は、図１のＺ−Ｚ断面と同位置を切断した断面図である。
本実施の形態３に係る加熱調理器１００は、調理庫２０の後方にコンベクションユニット５０を備えている。このコンベクションユニット５０は、調理庫２０とは別に区画形成された加熱室５１と、通風手段５２と、加熱室５１に配置されて加熱室５１の空気を加熱するコンベクションヒータ５５とを備えている。また、通風手段５２は、加熱室５１内に配置されたファン５３、及び、ファン５３を回転駆動させるモータ５４を有している。
【００３１】
また、本実施の形態３に係る調理庫２０には、例えば上面部に吸込口５６が形成されている。この吸込口５６は、調理庫２０の上面部上方に設けられた吸引ダクト５７及び背面部に設けられた背面ダクト５８を介して、コンベクションユニット５０の加熱室５１に連通している。また、調理庫２０の背面部には、コンベクションユニット５０の加熱室５１と連通する吹出口５９も形成されている。つまり、コンベクションユニット５０の加熱室５１は、吸込口５６及び吹出口５９を介して、調理庫２０と連通している。
【００３２】
このように構成された加熱調理器１００において、コンベクションユニット５０の通風手段５２を動作させると（詳しくは、モータ５４によってファン５３を回転させると）、調理庫２０の空気は、吸込口５６から吸引されてコンベクションユニット５０の加熱室５１に導かれ、加熱室５１においてコンベクションヒータ５５で加熱された後、吹出口５９から調理庫２０へ吹き出される。これにより、調理庫２０内に加熱された空気の対流が発生し、当該加熱された空気によっても被加熱物が加熱されることとなる。なお、本実施の形態３では、加熱室５１と本体排気口５とを連通する排気ダクト６０を設け、調理庫２０から加熱室５１に吸引された空気の一部を、排気ダクト６０を介して本体排気口５から排出する構成となっている。
【００３３】
ここで、吹出口５９から吹き出される加熱された空気は、受け皿３０の底面部３１に向かって吹き出され、受け皿３０と焼き網２４との間を通過する際に、焼き網２４に載置された被加熱物の下面を加熱する。この際、従来の受け皿を用いた場合、以下のような課題があった。
【００３４】
すなわち、吹出口５９から吹き出された空気は、吹き出された直後は速度が大きいため、指向性を持って進む。しかしながら、吹出口５９から吹き出された空気は、その速度が低下するにしたがって、徐々に拡散していく。このため、従来の受け皿は各側壁部の高さが同じになっていたので、吹出口５９から吹き出されて受け皿の前側側壁近傍に到達した空気の多くが、当該前側側壁の上方を通って扉２１に衝突してしまい、熱を扉２１に奪われてしまう。したがって、従来の受け皿を用いてコンベクションユニット５０で被加熱物を加熱する場合、加熱効率が悪いという課題があった。
【００３５】
しかしながら、本実施の形態３に係る受け皿３０は、実施の形態１又は実施の形態２と同様の構成となっており、前側側壁部３２の高さが後側側壁部３３の高さよりも高くなっている。このため、吹出口５９から吹き出されて受け皿の前側側壁近傍に到達した空気の多くは、前側側壁部３２に衝突して上方へ向かい、扉２１に衝突する空気を減少させることができる。このため、本実施の形態３に係る受け皿３０を用いることにより、コンベクションユニット５０による加熱の効率を向上させることができる。
【００３６】
なお、受け皿３０の底面部３１に凹凸部３８が設けられている場合、受け皿３０に直接非加熱物を載置し、該非加熱物をコンベクションユニット５０で加熱することもできる。凹凸部３８の延設方向が前後方向となっているため、凹凸部３８の凹部部分を加熱された空気が通り、非加熱物を加熱できるからである。
【００３７】
以上、上記の各実施の形態では、本発明に係る受け皿３０を調理庫２０内で用いる例で説明した。これに限らず、本発明に係る受け皿３０は、調理庫２０の外部で用いることも可能である。例えば、加熱コイル１０やガスコンロの上に受け皿３０を載置し、受け皿３０を下方から加熱して用いても勿論よい。
【符号の説明】
【００３８】
１  本体、２  筐体、３  トッププレート、４  本体吸気口、５  本体排気口、６  サークルライン、７  操作表示部、８  表示部、９  前面操作部、１０  加熱コイル、２０  調理庫、２１  扉、２２  レール、２３  加熱源、２４  焼き網、２５  レール前側連結部材、２６  レール後側連結部材、３０  受け皿、３１  底面部、３２  前側側壁部、３２ａ  係止部、３３  後側側壁部、３４  右側側壁部、３４ａ  手掛け部、３５  左側側壁部、３５ａ  手掛け部、３６  重心、３７  受け皿中心、３８  凹凸部、３９  凸部、４０ａ，４０ｂ  目印、５０  コンベクションユニット、５１  加熱室、５２  通風手段、５３  ファン、５４  モータ、５５  コンベクションヒータ、５６  吸込口、５７  吸引ダクト、５８  背面ダクト、５９  吹出口、６０  排気ダクト、１００  加熱調理器。
【図１】
0006341787.tif 000002
【図２】
0006341787.tif 000003
【図３】
0006341787.tif 000004
【図４】
0006341787.tif 000005
【図５】
0006341787.tif 000006
【図６】
0006341787.tif 000007
【図７】
0006341787.tif 000008
【図８】
0006341787.tif 000009
【図９】
0006341787.tif 000010
【図１０】
0006341787.tif 000011
【図１１】
0006341787.tif 000012
【図１２】
0006341787.tif 000013